(57)【要約】【課題】二次フィルターに堆積した塵埃を、ゴミ捨てと同時に手を汚すことなく容易に除去し、二次フィルターの目詰まりを解消することができる集塵容器を提供する。【解決手段】粗い塵埃を捕集する一次フィルター３８を有する粗塵室２８と、前記粗塵室２８を通過した細かい塵埃を捕集する二次フィルター４４と、塵埃排出用の開口部３０と、前記開口部３０を開閉自在に覆う蓋体３１と、前記粗塵室２８内に堆積した塵埃を押し出す押し出し板４０と、前記押し出し板４０の動作に連動して、前記二次フィルター４４に付着した塵埃を除去する除塵手段４９を設けたもので、塵埃を捨てる際、押し出し板４０と連動する除塵手段４９が、二次フィルター４４に堆積した塵埃を掻き落し、二次フィルター４４の目詰りによる風量低下を低減すると共に、二次フィルター４４より塵埃を取り除く作業が不要になり、二次フィルター４４のメンテナンス性を向上させることができる。【選択図】図３
2008154801.tif 000002
【特許請求の範囲】
【請求項１】
粗い塵埃を捕集する一次フィルターを有する粗塵室と、前記粗塵室を通過した細かい塵埃を捕集する二次フィルターと、塵埃排出用の開口部と、前記開口部を開閉自在に覆う蓋体と、前記粗塵室内に堆積した塵埃を押し出す押し出し板と、前記押し出し板の動作に連動して、前記二次フィルターに付着した塵埃を除去する除塵手段を設けてなる集塵容器。
【請求項２】
凹凸部を有する二次フィルターを用い、除塵手段の、前記二次フィルターの凹凸部に相対する位置に、凹凸形状部を設け、前記凹凸形状部で、前記凹凸部のうち少なくとも凹部に付着した塵埃を掻き出すようにした請求項１に記載の集塵容器。
【請求項３】
除塵手段の凹凸形状部を、二次フィルターの凹凸部に摺接させるようにした請求項２に記載の集塵容器。
【請求項４】
除塵手段の凹凸形状部の、二次フィルターの凹凸部に摺接する部分を軟質材で形成した請求項２または３に記載の集塵容器。
【請求項５】
除塵手段の凹凸形状部の、二次フィルターの凹凸部に摺接する部分にブラシを設けた請求項２または３に記載の集塵容器。
【請求項６】
二次フィルターは凹凸の稜線を縦方向とし、除塵手段の凹凸形状部を下方に傾斜させた請求項２〜５のいずれか１項に記載の集塵容器。
【請求項７】
請求項１〜６のいずれか１項に記載の集塵容器を備えた電気掃除機。
【発明の詳細な説明】
【技術分野】
【０００１】
本発明は電気掃除機本体に装着される集塵容器並びにこの集塵容器を有する電気掃除機に関するものである。
【背景技術】
【０００２】
従来のこの種の集塵容器として、粗い塵埃をろ過する一次フィルターと、一次フィルターを通り抜けた細塵を捕集する二次フィルターと、開閉自在の蓋とを備え、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような従来の集塵容器の構成では、粗い塵埃をろ過する一次フィルターを通った細塵を捕集する二次フィルターの表面に塵埃が吸着して目詰まりを起こし塵埃の吸引で早期に吸込性能が低下するという課題があった。また、二次フィルターの表面に付着した塵埃は落ちることなく溜まる時があり、その時は、素手或いはお箸などでごみを引きずりださなければならず、不衛生で、且つ非常に手間がかかるという課題があった。
【０００４】
本発明は上記従来の課題を解決するものであって、集塵容器内の二次フィルターの塵埃の塵離れ性を向上させ、塵埃を容易に廃棄できる使用勝手の良い集塵容器及び電気掃除機を提供する事を目的とする。
【課題を解決するための手段】
【０００５】
上記従来の課題を解決するために、本発明の集塵容器は、粗い塵埃を捕集する一次フィルターを有する粗塵室と、前記粗塵室を通過した細かい塵埃を捕集する二次フィルターと、塵埃排出用の開口部と、前記開口部を開閉自在に覆う蓋体と、前記粗塵室内に堆積した塵埃を押し出す押し出し板と、前記押し出し板の動作に連動して、前記二次フィルターに付着した塵埃を除去する除塵手段を設けたもので、塵埃を捨てる際、押し出し板と連動する除塵手段が、二次フィルターに堆積した塵埃を掻き落し、二次フィルターの目詰りによる風量低下を低減すると共に、二次フィルターより塵埃を取り除く作業がなくなり、二次フィルターのメンテナンス性を向上させることができる。
【０００６】
また、本発明の電気掃除機は、請求項１〜６のいずれか１項に記載の集塵容器を備えたもので、二次フィルターに堆積した塵埃を手を汚すことなく確実に除去でき、しかも塵埃の廃棄が容易で使用勝手の良いものである。
【発明の効果】
【０００７】
本発明の集塵容器及び電気掃除機は、二次フィルターに堆積した塵埃を手で汚すことなく確実に除去して、二次フィルターの目詰まりを防止し、しかも塵埃を容易に廃棄することができる。
【発明を実施するための最良の形態】
【０００８】
第１の発明は、粗い塵埃を捕集する一次フィルターを有する粗塵室と、前記粗塵室を通過した細かい塵埃を捕集する二次フィルターと、塵埃排出用の開口部と、前記開口部を開閉自在に覆う蓋体と、前記粗塵室内に堆積した塵埃を押し出す押し出し板と、前記押し出し板の動作に連動して、前記二次フィルターに付着した塵埃を除去する除塵手段を設けたもので、塵埃を捨てる際、押し出し板と連動する除塵手段が、二次フィルターに堆積した塵埃を掻き落し、二次フィルターの目詰りによる風量低下を低減すると共に、二次フィルターより塵埃を取り除く作業が不要になり、二次フィルターのメンテナンス性を向上させることができる。
【０００９】
第２の発明は、特に、第１の発明の凹凸部を有する二次フィルターを用い、除塵手段の、前記二次フィルターの凹凸部に相対する位置に、凹凸形状部を設け、前記凹凸形状部で、前記凹凸部のうち少なくとも凹部に付着した塵埃を掻き出すようにしたもので、塵埃が堆積しやすい凹部を掻き出すことにより、二次フィルターに堆積した塵埃を、効率よく、また確実に掻き落とすことが可能となる。
【００１０】
第３の発明は、特に、第２の発明の除塵手段の凹凸形状部を、二次フィルターの凹凸部に摺接させるようにしたもので、二次フィルターの凹凸部と、除塵手段の凹凸形状部の隙間がなくなり、二次フィルターに堆積した細かな微細塵も確実に掻き落とすことができる。
【００１１】
第４の発明は、特に、第２または３の発明の除塵手段の凹凸形状部の、二次フィルターの凹凸部に摺接する部分を軟質材で形成したもので、二次フィルターの表面を傷付けることがなくなり、二次フィルターの耐久性を向上させることができる。
【００１２】
第５の発明は、特に、第２または３の発明の除塵手段の凹凸形状部の、二次フィルターの凹凸部に摺接する部分にブラシを設けたもので、より、二次フィルターの表面を傷付けることがなくなり二次フィルターの耐久性を向上させると共に、塵埃の掻き取り性能も向上する。
【００１３】
第６の発明は、特に、第２〜５のいずれか一つの発明の二次フィルターの凹凸の稜線を縦方向とし、除塵手段の凹凸形状部を、下方に傾斜させたもので、除塵手段の凹凸形状部に塵埃が付着しても、その塵埃は傾斜面に沿って自重で落ちるので、除塵手段の凹凸形状部に塵埃が堆積することがなく、その結果、除塵手段に堆積した塵埃を取り除く作業が不要になり、除塵手段のメンテナンス性を向上させることができる。
【００１４】
第７の発明は、請求項１〜６のいずれか１項に記載の集塵容器を電気掃除機に備えたもので、二次フィルターに堆積した塵埃を手を汚すことなく確実に除去でき、しかも塵埃の廃棄が容易で使用勝手の良い電気掃除機を提供することができる。
【００１５】
以下、本発明の実施の形態について、図面を参照しながら説明する。なお、この実施の形態によって本発明が限定されるものではない。
【００１６】
（実施の形態１）
本発明の第１の実施の形態における集塵容器及びそれを搭載した電気掃除機について、図１〜図７を用いて説明する。
【００１７】
図１は、本実施の形態における集塵容器を搭載した電気掃除機の全体斜視図、図２は、同電気掃除機の断面図、図３は、同集塵容器の断面図、図４は、同集塵容器のダストボックス本体とフィルターユニットを示す斜視図、図５は、同集塵容器の部分欠載斜視図、図６は、同集塵容器の蓋が開いた状態の断面図、図７は、同集塵容器の除塵手段の形状を示す斜視図である。
【００１８】
図１、２において、掃除機本体１は、後部に電動送風機２を内蔵した電動送風機室３が配され、前部に、着脱自在で塵埃を分離捕集する集塵容器４を収納する集塵容器収納部５が配され、後方下部の両側に１対の走行用の車輪６が回転自在に取付けられ、底面前部には、同じく走行用のキャスター７が取付けられている。
【００１９】
掃除機本体１の前部には、ホース８の一端に設けた接続パイプ９が着脱自在に接続される吸気口１０が設けられている。
【００２０】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃掻き上げ用の回転ブラシ（図示せず）を内蔵した吸込み具１４に着脱自在に接続される。
【００２１】
１５は、弾性材料で成形され掃除機本体１の前部から両側にかけて延設されたバンパーで、掃除機本体１の走行時に家具、柱などに衝突してもそれらに傷を付けないようにするためのものである。
【００２２】
１６は、掃除機本体１を持ち運ぶ際に立てて使用する本体ハンドルで、掃除機本体１の重心を通る垂直線上に回動中心が位置するように掃除機本体１の上部に回動自在に取付けられている。
【００２３】
図２、図３において、１７は、ダストボックスハンドルで、集塵容器４を持ち運ぶ時や、掃除機本体１の集塵容器収納部５から、集塵容器４を取り外す時に、握るものである。掃除機本体１の外郭は、後方に電動送風機２を収納する電動送風機室３を形成した下ボデー１ａと上ボデー１ｂから構成されている。
【００２４】
電動送風機２の前部は、弾性体よりなるサポートマエ１８で、後部は、同じく弾性材料からなるサポートウシロ１９で、電動送風機室３内に支持されている。２０は、電動送風機室３と集塵容器収納部５とを仕切る隔壁で、略中央に電動送風機２の吸入開口２ａと連通する格子状の隔壁開口部２１が設けられ、その隔壁開口部２１は、集塵容器収納部５側から三次フィルター２２で覆われている。
【００２５】
集塵容器収納部５の後方下部には、図示しない機構により、電源コード２３が引き出し自在に設けられている。
【００２６】
次に集塵容器４の構成について図２〜６を用いて説明する。
【００２７】
図２〜図４において、集塵容器４は、ダストボックス本体２４と、ダストボックス本体２４の後方開口部に着脱自在に装着されるフィルターユニット２５から構成されている。
【００２８】
最初に、吸込み具１４から空気と共に吸引された塵埃の捕集構成について述べる。
【００２９】
集塵容器４を掃除機本体１の集塵容器収納部５に装着した時に、掃除機本体１の吸入口１０の後方に設けたパッキン２６は、ダストボックス本体２４と気密に圧接している。ダストボックス本体２４には、空気を連通させる吸入口２７が設けられている。ダストボックス本体２４は、さらに、吸入口２７に直接連通すると共に粗塵を収納する粗塵室２８を備え、粗塵室２８を通過した吸引風に含まれた細塵は、フィルターユニット２５で捕獲されるようになっている。
【００３０】
ダストボックス本体２４には、さらに、フィルターユニット２５から離脱した細塵を収納する細塵室２９と、前記粗塵室２８、細塵室２９の開口部３０を覆う蓋体３１が備えられている。この蓋体３１は、後方端部で、ダストボックス本体２４に回動自在に軸支されている。
【００３１】
図３、図５、図６において、蓋体３１の前部は、ダストボックス本体２４に設けた尾錠３２で係止され、蓋体３１が閉じた状態に保持されており、ダストボックスハンドル１７の前部に設けた操作部３３を押すと、操作部３３と一体形成された凸部３４が、尾錠３２の平面部３５を押し、尾錠３２を外方（Ａ方向）に移動させ、尾錠３２と蓋体３１の前部との係止が外れ、蓋体３１が図６で示すよう開くようになっている。
【００３２】
図３、図４において、粗塵室２８は、全周（４側壁）に、開口部３０に向かって徐々に広がる傾斜面３６を有し、その傾斜面３６に複数の開口３７を備え、前記開口３７の夫々に網目状の一次フィルター３８を有している。叉、粗塵室２８の上部に、塵埃を掻き落としながら下方に押し出すと共にフィルター３９を有する押し出し板４０を備え、前記押し出し板４０の軸４０ａは、操作部３３の一端の係止部４１と連結されている。
【００３３】
上記構成により、操作部３３を下方に操作することより、押し出し板４０を下方に移動させ、同時に、操作部３３と一体形成された凸部３４が、尾錠３２の平面部３５を押し尾錠３２を外方に移動させ、蓋体３１を開く構成となっている。
【００３４】
また、図３、図４において、フィルターユニット２５は、枠体４２と、プリーツ折りされて複数の凹凸部４３が形成された二次フィルター４４とからなっている。
【００３５】
フィルターユニット２５の枠体４２の下流側端部には、全周に渡ってリップ４５が、一体叉は一体的に形成され、集塵容器４を集塵容器収納部５に装着した時に、そのリップ４５が掃除機本体１の隔壁２０で、集塵容器収納部５側の面に圧接され、電動送風機２の運転時に外気が吸引されないようになっている。
【００３６】
フィルターユニット２５の前面４６は、フィルターユニット２５をダストボックス本体  ２４に装着した時に、粗塵室２８の後方開口部４７を気密に覆うようになっている。  
【００３７】
塵埃を掻き落とすフィルター３９を有した押し出し板４０には、ネジボス４８が形成されており、このネジボス４８に、略Ｌ字状の除塵手段４９がネジ５５等で締め付けられている。
【００３８】
この除塵手段４９の、二次フィルター４４の凹凸部４３に相対する位置にある一端５０には、図４に示すように、前記二次フィルター４４の凹凸部４３に入り込むように、略櫛刃状の凹凸形状部５１が形成されている。
【００３９】
上記のように構成された本実施の形態における集塵容器による動作、作用は以下の通りである。
【００４０】
電気掃除機の運転を開始すると、電動送風機２による吸引力が、三次フィルター２２、二次フィルター４４、一次フィルター３８およびフィルター３９を経て、粗塵室２８、ホース８、延長管１３を経て吸込み具１４に至る。そして、吸込み具１４から吸引された塵埃を含んだ空気が、掃除機本体１の吸気口１０を通ってダストボックス本体２４の吸入口２７から真っ直ぐ粗塵室２８に入り、一次フィルター３８及びフィルター３９に当たりそこで捕集され、堆積していく。一次フィルター３８およびフィルター３９を通過した空気に含まれる微細塵は、二次フィルター４４で捕捉される。
【００４１】
集塵容器４を集塵容器収納部５から取り外す時は、ダストボックスハンドル１７を握って集塵容器４を上方に持上げるだけで良い。
【００４２】
また塵埃を捨てるときは、図３、図６において、操作部３３を押すと、操作部３３と一体形成された凸部３４が、尾錠３２の平面部３５を押し、尾錠３２が外方（Ａ方向）に移動し、蓋体３１の前部との爪嵌合が外れ、蓋体３１が開く。この時、操作部３３と連結されている押し出し板４０が矢印Ｂ方向に移動し粗塵室２８内に溜まった塵埃を掻きだす。
【００４３】
この一連の動作と連動して、押し出し板４０と連結されている除塵手段４９の一端５０が、二次フィルター４４の凹凸部４３をＣ方向に摺動する。除塵手段４９の一端５０が摺動することにより、二次フィルター４４の凹凸部４３に堆積した塵埃を掻きだすこととなり、二次フィルター４４の目詰りによる風量低下を低減させることができる。
【００４４】
その結果、ごみ捨て作業に連動して、二次フィルター４４に堆積した塵埃を取り除く作業が不要になり、二次フィルター４４のメンテナンス性を向上させることができる。
【００４５】
また、除塵手段４９の一端５０に形成された凹凸形状部５１を、二次フィルター４４の凹凸部４３で摺動させることにより、二次フィルター４４の凹凸部４３に満遍なく堆積した塵埃を確実に掻きだすこととなり高い清掃効果が得られる。
【００４６】
また、図４において、除塵手段４９の一端５０の凹凸形状部５１を軟質材で形成するようにすれば、二次フィルター４４の表面を傷付けることがなく、二次フィルター４４の耐久性を向上させることができる。
【００４７】
また、図７に示すように、除塵手段４９の一端５０の凹凸形状部５１の端部に、ナイロンなどの合成樹脂などからなるブラシ５２を植毛もしくは固着すれば、二次フィルター４４の凹凸部４３に堆積した細かい部分の塵埃をより確実に掃き出すことができ、高い清掃効果が得られる。
【００４８】
また、除塵手段４９の一端５０の凹凸形状部５１と、二次フィルター４４の凹凸部４３を摺接させるようにすれば、二次フィルター４４の凹凸部４３に堆積した塵埃を、より一層確実に掻きだすことができ、より高い清掃効果が得られる。
【００４９】
本実施の形態では、図４に示すように二次フィルター４４を縦方向に折り目を有するプリーツ状のフィルターとし凹凸の稜線が縦方向になるように構成し、図３、図６に示すように、除塵手段４９の一端５０の凹凸形状部５１を下方に傾斜させて傾斜面５３を設けると共に、二次フィルター４４の凹凸に沿うように挿入している。
【００５０】
上記構成より、除塵手段４９の一端５０の凹凸形状部５１が、二次フィルター４４の凹凸部４３を摺動した時、仮に除塵手段４９の一端５０の凹凸形状部５１に塵埃が残っても、塵埃は、傾斜面５３に沿って自重ですべり落ち、細塵を収納する細塵室２９に落下する。
【００５１】
以上のように、本実施の形態によれば、簡単な構成で、除塵手段４９に堆積した塵埃を取り除く作業がなくなり、除塵手段４９のメンテナンス性を向上させることができる。
【産業上の利用可能性】
【００５２】
以上のように、本発明にかかる集塵容器及び電気掃除機は、集塵容器に設けられた二次フィルターに堆積した塵埃を、ゴミ捨てと同時に手を汚すことなく容易に除去出来るものであり、着脱自在の集塵容器を有する家庭用、業務用電気掃除機に有用である。
【図面の簡単な説明】
【００５３】
【図１】本発明の実施の形態１における集塵容器を搭載した電気掃除機の全体斜視図
【図２】同電気掃除機の断面図
【図３】同集塵容器の断面図
【図４】同集塵容器のダストボックス本体とフィルターユニットを示す斜視図
【図５】同集塵容器の部分欠載斜視図
【図６】同集塵容器の蓋が開いた状態の断面図
【図７】同集塵容器の除塵手段の形状を示す斜視図
【符号の説明】
【００５４】
４    集塵容器
２８  粗塵室
３０  開口部
３１  蓋体
３８  一次フィルター
４０  押し出し板
４３  凹凸部
４４  二次フィルター
４９  除塵手段
５１  凹凸形状部
５２  ブラシ
５３  傾斜面
【図１】
2008154801.tif 000003
【図２】
2008154801.tif 000004
【図３】
2008154801.tif 000005
【図４】
2008154801.tif 000006
【図５】
2008154801.tif 000007
【図６】
2008154801.tif 000008
【図７】
2008154801.tif 000009